【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
複数のアンテナポートを有する基地局と、前記基地局と無線通信を行うユーザ装置とを含む移動通信システムにおいて、
前記基地局は、前記ユーザ装置に対してプリコードされた複数のチャネル測定用参照信号に対応する複数のビームを含むビームストリームを送信し、
前記ユーザ装置は、前記複数のビームを受信して、前記複数のビームの中から１以上のビームを選択して前記基地局に通知する、
ことを特徴とする移動通信システム。
【請求項２】
前記基地局は、前記複数のチャネル測定用参照信号を、下りリンク共有チャネルのユーザ固有の領域に多重することを特徴とする請求項１に記載の移動通信システム。
【請求項３】
前記基地局は、前記複数のチャネル測定用参照信号ごとに、送信信号系列、時間多重位置又は周期、周波数多重位置又は周期、拡散符号化のための符号分割多重（ＣＤＭ）系列、及びフィードバックすべきビームの数の中の一部または全部を設定して、前記ユーザ装置に通知することを特徴とする請求項１又は２に記載の移動通信システム。
【請求項４】
前記ユーザ装置は、前記ビームストリームを前記下りリンク共有チャネルで受信したときに選択した前記ビームを、肯定応答または否定応答に多重して送信することを特徴とする請求項２に記載の移動通信システム。
【請求項５】
前記基地局は、前記ユーザ装置に対して複数の前記ビームストリームを設定して、前記ビームストリームのそれぞれについてビームトラッキングを実施し、
前記ユーザ装置は、前記複数のビームストリームの追従状態を一括して表す情報をフィードバック情報に含めて送信することを特徴とする請求項１に記載の移動通信システム。
【請求項６】
複数のチャネル測定用参照信号をそれぞれ対応するプリコーディングベクトルで乗算するプリコーディング部と、
複数のアンテナポートを有し、前記複数のチャネル測定用参照信号を送信する複数のビームを送信するアンテナ部と、
ユーザ装置から前記複数のビームの受信結果を取得する制御部と、
を有することを特徴とする基地局。
【請求項７】
前記複数のチャネル測定用参照信号を下りリンク共有チャネルのユーザ固有の領域に多重する多重部、
をさらに有することを特徴とする請求項６に記載の基地局。
【請求項８】
前記制御部は、前記複数のチャネル測定用参照信号ごとに、送信信号系列、時間多重位置又は周期、周波数多重位置又は周期、拡散符号化のための符号分割多重（ＣＤＭ）系列、及びフィードバックすべきビームの数の中の一部または全部を設定して前記ユーザ装置に通知することを特徴とする請求項６又は７に記載の基地局。
【請求項９】
基地局から、プリコードされた複数のチャネル測定用参照信号に対応する複数のビームを受信する受信部と、
前記複数のチャネル測定用参照信号を測定する測定部と、
前記測定部の測定結果に基づいて前記複数のビームの中から１以上のビームを選択して選択結果を前記基地局に通知する制御部と、
を有することを特徴とするユーザ装置。
【請求項１０】
前記受信部は、前記複数のチャネル測定用参照信号を下りリンク共有チャネルのユーザ固有の領域で受信することを特徴とする請求項９に記載のユーザ装置。
【手続補正２】
【補正対象書類名】明細書
【補正対象項目名】０００８
【補正方法】変更
【補正の内容】
【０００８】
上記課題を実現するために、複数のアンテナポートを有する基地局と、前記基地局と無線通信を行うユーザ装置とを含む移動通信システムにおいて、
前記基地局は、前記ユーザ装置に対してプリコードされた複数のチャネル測定用参照信号に対応する複数のビームを含むビームストリームを送信し、
前記ユーザ装置は、前記複数のビームを受信して、前記複数のビームの中から１以上のビームを選択して前記基地局に通知する、
ことを特徴とする。
【手続補正３】
【補正対象書類名】明細書
【補正対象項目名】００６１
【補正方法】変更
【補正の内容】
【００６１】
なお、上述した技術は、マルチユーザ（ＭＵ）ＭＩＭＯにも適用可能である。この場合は、同時多重されているユーザ装置に適用してほしいビーム番号、すなわち、他ユーザからの干渉が小さくなるビーム番号を基地局１０にフィードバックしてもよい。
（付記）
以上説明した実施の形態に関し、更に以下の付記のようにも記載できる。
（付記１）
複数のアンテナポートを有する基地局と、前記基地局と無線通信を行うユーザ装置とを含む移動通信システムにおいて、
前記基地局は、前記ユーザ装置に対してデータを送信する第１ビームと、前記第１ビームの周辺方向にプリコードされた参照信号を送信する一つまたは複数の第２ビームとを含むビームストリームを送信し、
前記ユーザ装置は、前記ビームストリームを受信して、前記第１ビームおよび前記第２ビームの中から１以上の適切なビーム番号を選択して前記基地局に通知する、
ことを特徴とする移動通信システム。
（付記２）
前記基地局は、前記参照信号を、下りリンク共有チャネルのユーザ固有の領域に多重することを特徴とする付記１に記載の移動通信システム。
（付記３）
前記基地局は、前記参照信号の送信信号系列、時間多重位置（周期）、周波数多重位置（周期）、拡散符号化のための符号分割多重（ＣＤＭ）系列、送信する参照信号の数、フィードバックすべきビーム番号の数の一部または全部を設定して、前記ユーザ装置に通知することを特徴とする付記２に記載の移動通信システム。
（付記４）
前記移動局は、前記ビームストリームを前記下りリンク共有チャネルで受信したときに選択した前記ビーム番号を、肯定応答または否定応答に多重して送信することを特徴とする付記２に記載の移動通信システム。
（付記５）
前記基地局は、前記ユーザ装置に対して複数の前記ビームストリームを設定して、前記ビームストリームのそれぞれについてビームトラッキングを実施し、
前記ユーザ装置は、前記複数のビームストリームの追従状態を一括して表す情報をフィードバック情報に含めて送信することを特徴とする付記１に記載の移動通信システム。
（付記６）
データ信号と、前記データとともに送信される一つまたは複数の参照信号をそれぞれ対応するプリコーディングベクトルで乗算するプリコーディング部と、
複数のアンテナポートを有し、前記データ信号を送信する第１ビームと、前記参照信号を前記第１ビームの周辺方向に向けて送信する第２ビームとを空間多重して送信するアンテナ部と、
ユーザ装置から前記第１ビームおよび前記第２ビームの受信結果を取得し、前記受信結果に基づいて前記プリコーディング部を制御して前記第１ビームを前記ユーザ装置に追従させる制御部と、
を有することを特徴とする基地局。
（付記７）
前記参照信号を下りリンク共有チャネルのユーザ固有の領域に多重する多重部、
をさらに有することを特徴とする付記６に記載の基地局。
（付記８）
前記制御部は、前記参照信号の送信信号系列、時間多重位置（周期）、周波数多重位置（周期）、拡散符号化のための符号分割多重（ＣＤＭ）系列、送信する参照信号の数、フィードバックすべきビーム番号の数の一部または全部を設定して前記ユーザ装置に通知することを特徴とする付記７に記載の基地局。
（付記９）
基地局からのデータ信号を第１ビームで受信するとともに、前記第１ビームの周辺に向けられる複数の第２ビームでプリコードされた一つまたは複数の参照信号を受信する受信部と、
前記データ信号および前記複数の参照信号を測定する測定部と、
前記測定部の測定結果に基づいて前記第１ビームと前記第２ビームの中から１以上のビームを選択して選択結果を前記基地局に通知する制御部と、
を有することを特徴とするユーザ装置。
（付記１０）
前記受信部は、前記参照信号を下りリンク共有チャネルのユーザ固有の領域で受信することを特徴とする付記９に記載のユーザ装置。